(57)【要約】【課題】基地局を介して相手側との通信を行う電話機又は携帯電話機において、使用者における繁雑な操作を要することなく、入力された電話番号に市外局番などの番号を付加することができるようにする。【解決手段】表示部６に電話番号が表示された状態において、使用者が操作入力部７を操作することによって付加番号の付加を指示すると、主制御部２はデータ格納部８を制御して予め登録された付加番号を読み出すと共に、表示部６を制御して既に表示されている電話番号の先頭に付加番号を付加して表示する。そして、この表示状態において、使用者が操作入力部７を操作することによってダイヤル発信を指示すると、主制御部２はデータ格納部８を制御して表示部６に表示されている電話番号に基づいて所定の信号を生成し、通信プロトコル制御によって確立した通話チャンネルを用いて基地局に送信することによってダイヤル発信を行う。【選択図】          図１
2007124691.tif 000002
【特許請求の範囲】
【請求項１】
電話番号を入力する数字キーと、
各種機能を動作させる機能操作手段と、
前記数字キーにより入力された電話番号を表示する表示手段と、
前記表示された電話番号に基づいて発信を行う発信手段と、
付加番号を記憶する付加番号記憶手段と、
前記機能操作手段からの指示に基づき、前記数字キーによって入力された電話番号の先頭に、上記付加番号記憶手段に記憶された付加番号を付加する制御手段と、
からなることを特徴とする電話機。
【請求項２】
上記制御手段は、上記機能操作手段の操作による付加番号の除去指示を受け付けることを特徴とする請求項１記載の電話機。
【請求項３】
上記制御手段は、上記機能操作手段による操作に基づいて電話番号の先頭に付加した付加番号を、上記除去指示に基づいて除去することを特徴とする請求項２記載の電話機。
【請求項４】
数字キーによる電話番号の入力を受け付けるステップと、
前記入力された電話番号を表示手段に表示するステップと、
使用者の操作による付加番号の付加の指示を受け付けるステップと、
前記付加番号の付加の指示を受けた場合、発信時に、前記入力された電話番号の先頭に付加番号を付加して発信するステップと、
を有する電話機の発信制御方法。
【請求項５】
電話番号を入力する数字キーと、
各種機能を動作させる機能操作手段と、
前記数字キーにより入力された電話番号を表示する表示手段と、
前記表示された電話番号に基づいて発信を行う発信手段と、
付加番号を記憶する付加番号記憶手段と、
前記機能操作手段からの指示に基づき、前記数字キーによって入力された電話番号の先頭に、上記付加番号記憶手段に記憶された付加番号を付加する制御手段と、
からなることを特徴とする携帯電話機。
【請求項６】
上記制御手段は、上記機能操作手段の操作による付加番号の除去指示を受け付けることを特徴とする請求項５記載の携帯電話機。
【請求項７】
上記制御手段は、上記機能操作手段による操作に基づいて電話番号の先頭に付加した付加番号を、上記除去指示に基づいて除去することを特徴とする請求項６記載の携帯電話機。
【請求項８】
数字キーによる電話番号の入力を受け付けるステップと、
前記入力された電話番号を表示手段に表示するステップと、
使用者の操作による付加番号の付加の指示を受け付けるステップと、
前記付加番号の付加の指示を受けた場合、発信時に、前記入力された電話番号の先頭に付加番号を付加して発信するステップと、
を有する携帯電話機の発信制御方法。
【発明の詳細な説明】
【技術分野】
【０００１】
本発明は、基地局を介して通信を行う電話機及び携帯電話機に関する。
【背景技術】
【０００２】
従来より、基地局を介して通信を行う携帯電話機としては、アナログ式及びディジタル式携帯電話機や簡易型携帯電話機（ＰＨＳ端末／Personal HandyphoneSystem）等があり、このような携帯電話機においては、使用者によって直接入力された電話番号や、予めメモリに記憶された電話番号をＬＣＤ等の表示部に表示し、使用者による確認の後に、その表示部に表示された電話番号を用いてダイヤル発信を行うものがあり、又電話帳機能を有するパソコンや情報携帯端末に記憶された電話番号を転送してダイヤル発信を行うものもあった。
【発明の開示】
【発明が解決しようとする課題】
【０００３】
ところが、上記のような携帯電話機においては、有線電話機とは異なり通信を開始する際に必ず市外局番をつけて電話をかける必要があるが、有線電話機の使用に慣れている使用者においては市外局番をつけずに電話をかけてしまう場合があり、又パソコンや情報携帯端末では通信手段として比較的有線電話機を用いることが多いことから記憶された電話番号に市外局番がつけられていないことが多く、パソコンや情報携帯端末において記憶されている電話番号を転送して用いる場合においても同様に、市外局番をつけずに電話をかけてしまう場合があり、更にＰＨＳ端末においては予め設定した親機との無線通信によってコードレス電話機の子機としても用いることができ、このようにコードレス電話機の子機として兼用する場合においては有線電話機と同様の働きをするため、自動ダイヤル発信のために記憶された電話番号について市外局番がつけられていないことが多く、このＰＨＳ端末を携帯電話機として用いた場合において自動ダイヤル発信を行ったときに市外局番がつけられずに電話がかけられてしまう場合があり、相手側との通信を開始することができない問題点があった。
【０００４】
そして、これら問題点を解決するためには、電話番号の入力中又は入力後においてダイヤル発信指示がなされる前に市外局番がつけられていないことに気付いた場合において、入力された電話番号をキャンセルして再度市外局番から電話番号を入力するか、又はダイヤル発信指示後に市外局番がつけられていないことに気付いた場合において、一旦通信を終了し、再度市外局番から電話番号を入力しなくてはならず、更に自動ダイヤル発信によって市外局番がつけられていない電話番号に基づくダイヤル発信を行った場合において以後も自動ダイヤル発信を用いてダイヤル発信を行う場合には、自動ダイヤル発信に用いる電話番号の記憶内容を新たに書き換える必要があるため、使用者において繁雑な操作を要するといった問題点があった。
【０００５】
本発明は、使用者における繁雑な操作を要することなく、入力された電話番号に市外局番などの番号を付加することができる電話機及び携帯電話機を提供することを目的とするものである。  
【課題を解決するための手段】
【０００６】
上記目的を達成するために、請求項１記載の発明は、電話番号を入力する数字キーと、各種機能を動作させる機能操作手段と、前記数字キーにより入力された電話番号を表示する表示手段と、前記表示された電話番号に基づいて発信を行う発信手段と、付加番号を記憶する付加番号記憶手段と、前記機能操作手段からの指示に基づき、前記数字キーによって入力された電話番号の先頭に、上記付加番号記憶手段に記憶された付加番号を付加する制御手段と、からなることを特徴とする電話機である。
【０００７】
請求項２記載の発明は、上記制御手段は、上記機能操作手段の操作による付加番号の除去指示を受け付けることを特徴とする請求項１記載の電話機である。
【０００８】
請求項３記載の発明は、上記制御手段は、上記機能操作手段による操作に基づいて電話番号の先頭に付加した付加番号を、上記除去指示に基づいて除去することを特徴とする請求項２記載の電話機である。
【０００９】
請求項４記載の発明は、数字キーによる電話番号の入力を受け付けるステップと、前記入力された電話番号を表示手段に表示するステップと、使用者の操作による付加番号の付加の指示を受け付けるステップと、前記付加番号の付加の指示を受けた場合、発信時に、前記入力された電話番号の先頭に付加番号を付加して発信するステップと、を有する電話機の発信制御方法である。
【００１０】
請求項５記載の発明は、電話番号を入力する数字キーと、各種機能を動作させる機能操作手段と、前記数字キーにより入力された電話番号を表示する表示手段と、前記表示された電話番号に基づいて発信を行う発信手段と、付加番号を記憶する付加番号記憶手段と、前記機能操作手段からの指示に基づき、前記数字キーによって入力された電話番号の先頭に、上記付加番号記憶手段に記憶された付加番号を付加する制御手段と、からなることを特徴とする携帯電話機である。
【００１１】
請求項６記載の発明は、上記制御手段は、上記機能操作手段の操作による付加番号の除去指示を受け付けることを特徴とする請求項５記載の携帯電話機である。
【００１２】
請求項７記載の発明は、上記制御手段は、上記機能操作手段による操作に基づいて電話番号の先頭に付加した付加番号を、上記除去指示に基づいて除去することを特徴とする請求項６記載の携帯電話機である。
【００１３】
請求項８記載の発明は、数字キーによる電話番号の入力を受け付けるステップと、前記入力された電話番号を表示手段に表示するステップと、使用者の操作による付加番号の付加の指示を受け付けるステップと、前記付加番号の付加の指示を受けた場合、発信時に、前記入力された電話番号の先頭に付加番号を付加して発信するステップと、を有する携帯電話機の発信制御方法である。
【００１４】
上記請求項の記載の発明の他にも、入力された電話番号を表示すると共に、その表示された電話番号に基づいてダイヤル発信を行う携帯電話機において、操作手段と、該操作手段による操作に基づいて表示中の電話番号の先頭に番号を付加して表示させる表示制御手段とを設けたものであっても良い。
【００１５】
また、付加番号を記憶する付加番号記憶手段を設け、上記表示制御手段が、上記操作手段による操作に基づいて表示中の電話番号の先頭に、上記付加番号記憶手段に記憶された付加番号を付加して表示させるものであっても良い。
【００１６】
また、上記表示制御手段が、上記操作手段による操作に基づいて表示中の電話番号の先頭に付加した付加番号を、上記操作手段による操作に基づいて除去するものであっても良い。
【００１７】
また、ダイヤル発信された電話番号を一時的に記憶する一時記憶手段を設け、上記表示制御手段が、上記操作手段によってリダイヤルが指示されたとき、上記一時記憶手段に記憶された電話番号を表示させるものであっても良い。
【００１８】
また、自動ダイヤル発信に用いる電話番号を記憶する電話番号記憶手段と、上記操作手段による操作に基づいて表示中の電話番号を上記電話番号記憶手段に記憶する記憶制御手段とを設けたものであっても良い。
【００１９】
請求項１及び４、５及び８記載の発明によれば、入力された電話番号が表示された状態において、制御手段が機能操作手段による操作に基づいて表示中の電話番号の先頭に付加番号を付加して表示させることにより、その表示状態においてダイヤル発信を指示したとき、先頭に付加番号が付加された電話番号に基づいてダイヤル発信を行わせることができる。
【００２０】
請求項２及び６記載の発明によれば、入力された電話番号が表示されると共に、制御手段が機能操作手段による操作に基づいて電話番号の先頭に付加番号を付加した状態において、再び機能操作手段によって所定の操作がなされたとき、制御手段が電話番号の先頭に付加された番号の除去指示をすることにより、付加番号の付加ミス等を容易に訂正することができる。
【００２１】
請求項３及び７記載の発明によれば、入力された電話番号が表示されると共に、制御手段が機能操作手段による操作に基づいて表示中の電話番号の先頭に付加番号を付加して表示させた状態において、再び機能操作手段によって所定の操作がなされたとき、制御手段が表示中の電話番号の先頭に付加された番号を除去することにより、付加番号の付加ミス等を容易に訂正することができる。
【００２２】
ダイヤル発信された電話番号を一時的に記憶する一時記憶手段を設けたものでは、表示された電話番号に基づいてダイヤル発信がなされると、そのダイヤル発信に用いられた電話番号が一時記憶手段に記憶され、この状態において操作手段によってリダイヤルが指示されると、表示制御手段が一時記憶手段に記憶された電話番号を表示させることにより、ダイヤル発信後の電話番号の先頭に付加番号を付加してリダイヤルを行うことができる。
【００２３】
自動ダイヤル発信に用いる電話番号を記憶する電話番号記憶手段と、上記操作手段による操作に基づいて表示中の電話番号を上記電話番号記憶手段に記憶する記憶制御手段とを設けたものでは、入力された電話番号が表示された状態において、操作手段によって所定の操作がなされたとき、記憶制御手段が表示中の電話番号を電話番号記憶手段に記憶することにより、自動ダイヤル発信に用いる電話番号に市外局番をつけることができる。
【発明の効果】
【００２４】
以上のように、請求項１及び４、５及び８記載の発明によれば、使用者による簡単な操作によって表示中の電話番号の先頭に番号を付加して表示させることができ、その表示状態においてダイヤル発信を指示することによって、先頭に番号が付加された電話番号に基づいてダイヤル発信を行わせることができるため、例えば使用者が市外局番を除く電話番号を入力してしまった後や、パソコンや情報携帯端末において記憶されている市外局番がついていない電話番号を転送して用いた場合や、自動ダイヤル発信に用いる電話番号に市外局番がついていない場合等においても、使用者による繁雑な操作を要することなく、正確なダイヤル発信を行うことができ、相手側との通信を開始することができる。
【００２５】
請求項１及び４、５及び８記載の発明によれば、使用者によるより簡単な操作によって正確なダイヤル発信を行うことができ、相手側との通信を開始することができる。
【００２６】
請求項２及び３、６及び７記載の発明によれば、使用者による簡単な操作によって表示中の電話番号の先頭に番号を付加して表示させることができると共に、その表示させた番号を除去することができるため、付加した番号が間違った場合においても使用者による繁雑な操作を要することなく、訂正することができ、正確なダイヤル発信を行うことができ、相手側との通信を開始することができる。
【００２７】
ダイヤル発信された電話番号を一時的に記憶する一時記憶手段を設けたものでは、リダイヤルを指示することによって前回ダイヤル発信に用いられた電話番号が表示されると共に、使用者による簡単な操作によとてその表示された電話番号の先頭に市外局番を付加して表示させることができ、その表示状態においてダイヤル発信を指示することによって、先頭に市外局番が付加された電話番号に基づいてダイヤル発信を行わせることができるため、誤って市外局番をつけずにダイヤル発信を行った後においても、使用者によって新たに電話番号入力をすることなく、簡単な操作によって正確なダイヤル発信を行うことができ、相手側との通信を開始することができる。
【００２８】
自動ダイヤル発信に用いる電話番号を記憶する電話番号記憶手段と、上記操作手段による操作に基づいて表示中の電話番号を上記電話番号記憶手段に記憶する記憶制御手段とを設けたものでは、使用者による簡単な操作によって表示中の電話番号の先頭に市外局番を付加して表示させることができ、その表示状態において自動ダイヤル発信の登録を指示することによって、先頭に市外局番が付加された電話番号を自動ダイヤル発信に用いる電話番号として記憶することができるため、例えば使用者が自動ダイヤル発信に用いる電話番号として市外局番を除く電話番号を入力してしまった場合や、パソコンや情報携帯端末において記憶されている市外局番がついていない電話番号を転送して用いる場合や、既に登録した自動ダイヤル発信に用いる電話番号に市外局番がついていない場合等においても、使用者による繁雑な操作を要することなく、市外局番が付加された電話番号を自動ダイヤル発信に用いる電話番号として記憶することができ、以後自動ダイヤル発信によって正確なダイヤル発信を行うことができ、相手側との通信を開始することができる。
【発明を実施するための最良の形態】
【００２９】
以下、本発明の実施の形態について図面を参照して詳細に説明する。
【００３０】
図１は本発明の一実施の形態である携帯電話機の電気的構成を示す概略機能ブロック図、図２は同携帯電話機における付加番号登録時の動作制御を示すフローチャート、図３は同携帯電話機におけるダイヤル発信時及び自動ダイヤル登録時の動作制御の一例を示すフローチャート、図４は同動作制御に基づく表示部の表示の移り変わりを示す説明図、図５は同携帯電話機におけるダイヤル発信時及び自動ダイヤル登録時の動作制御の他の例を示すフローチャート、図６は同動作制御に基づく表示部の表示の移り変わりを示す説明図である。
【００３１】
図１において、１は図示しない基地局と所定の周波数帯域による電波の送受信を行う無線部、２は無線部１における通信プロトコル制御及びユーザーインターフェース等の制御を主制御部、３は主制御部２による通信プロトコル制御によって確立された通話チャンネルを用いて送信される信号を復調すると共に送信する信号を変調することによって相手側との通話経路を形成する通話制御部、４は通話制御部３によって形成された通話経路より送出された音声信号を外部に放音するスピーカ、５は外部音声を集音して電気信号に変換し、当該変換した音声信号を通話制御回路３によって形成された通話経路に送出するマイクロホンであり、上記スピーカ４及びマイクロホン５によって相手側との通話を行うハンドセットを構成する。
【００３２】
６はデータ入力時のガイド表示や登録データ及び電話番号等を表示する表示部、７は電話番号等を入力する数字キー及び各種機能を動作させる機能キーとからなる操作入力部、８は付加番号、電話帳データ、リダイヤルデータ及び不在着信データ等を記憶するデータ格納部である。
【００３３】
上記のように構成された携帯電話機について、付加番号登録時の動作制御を図２に示すフローチャートに基づいて説明する。
【００３４】
使用者が操作入力部７に設けられた機能キー及び数字キー等を操作することによって付加番号の登録モードへの移行を指示すると、主制御部２がその操作入力部２からの指示に基づいて付加番号登録モードに移行し、この状態において使用者が操作入力部７に設けられた数字キーの操作によって付加番号が入力される度（ステップＦ１）に、主制御部２が表示部６を制御してその入力された付加番号を表示させる（ステップＦ２）。
【００３５】
そして、使用者によって付加番号が入力され、その入力された付加番号が表示部６に表示されている状態において、使用者が操作入力部７に設けられた機能キーの操作によって付加番号の登録が指示されたとき（ステップＦ３）、表示部６に表示された付加番号をデータ格納部８に記憶して（ステップＦ４）付加番号の登録モードを終了する。
【００３６】
従って、上記動作制御によれば、使用者による操作によって市外局番などの任意の番号を付加番号として事前に設定し、データ格納部８に記憶することができる。
【００３７】
次に、上記のように構成された携帯電話機におけるダイヤル発信時及び自動ダイヤル番号登録時の動作制御の一例について、図３に示すフローチャートに基づいて説明する。
【００３８】
使用者が操作入力部７に設けられた数字キーを操作することによって電話番号を入力した場合（ステップＦ１１）には、主制御部２が表示部６を制御してその入力された電話番号を表示部６によって表示し（ステップＦ１２）、又使用者が操作入力部７に設けられた機能キーを操作することによって電話帳からの電話番号の呼び出しを指示すると共に、操作入力部７に設けられた数字キー等を操作することによって任意の電話番号を選択した場合（ステップＦ１３）には、主制御部２がデータ格納部８を制御して電話帳データから所定の電話番号を読み出すと共に、表示部６を制御して使用者によって選択された電話番号を表示部６によって表示し（ステップＦ１４）、更に使用者が操作入力部７に設けられた機能キーを操作することによってリダイヤルを指示した場合（ステップＦ１５）には、主制御部２がデータ格納部８を制御して前回にダイヤル発信したリダイヤルデータを読み出すと共に、表示部６を制御して前回にダイヤル発信した電話番号を表示部６によって表示する（ステップＦ１６）。
【００３９】
そして、これら使用者による操作入力部７の操作によって表示部６に電話番号が表示された状態（ステップＦ１２，Ｆ１４，Ｆ１６）において、使用者が操作入力部７に設けられた機能キー及び数字キー等を操作することによって付加番号の付加又は除去を指示する（ステップＦ１７）と、主制御部２は表示部６に表示されている電話番号に付加番号が既に付加されているか判断し（ステップＦ１８）、付加されていないと判断されたときには、データ格納部８を制御して予め登録された付加番号を読み出すと共に、表示部６を制御して既に表示されている電話番号の先頭に付加番号を付加して表示し（ステップＦ１９）、又付加されていると判断されたときには、表示部６に既に表示された付加番号を除去して使用者による操作入力部７の操作による電話番号のみを表示する（ステップＦ２０）。
【００４０】
即ち、例えば、使用者による操作入力部７の操作によって、図４（ａ）に示すように、表示部６に「□□−□□□□」と表示されている状態において、使用者が市外局番が入力されていないことを認識し、操作入力部７を操作して付加番号の付加指示を行うと、図４（ｂ）に示すように、表示部６における「□□−□□□□」の前に事前に登録された「０８２４」が付加されて「０８２４□□−□□□□」が表示され、又使用者による操作入力部７の操作によって、図４（ｂ）に示すように、表示部６に付加番号が付加された「０８２４□□−□□□□」が表示されている状態において、使用者が付加番号が誤っていることを認識し、操作入力部７を操作して付加番号の除去指示を行うと、図４（ａ）に示すように、表示部６における「０８２４□□−□□□□」から事前に登録された「０８２４」が除去されて「□□−□□□□」が表示される。
【００４１】
尚、このとき、表示部６に表示された電話番号に付加して表示する付加番号としては、付加番号の登録時においてデータ格納部８に複数登録しておき、使用者において選択できるようにすると良い。
【００４２】
そして、表示部６に電話番号が表示されている状態において、使用者が操作入力部７に設けられた機能キーを操作することによってダイヤル発信を指示した場合（ステップＦ２２）には、主制御部２はデータ格納部８を制御して表示部６に表示されている電話番号をリダイヤルデータとして記憶する（ステップＦ２３）と共に、その表示部６に表示されている電話番号に基づいて所定の信号を生成し、通信プロトコル制御によって確立した通話チャンネルを用いて基地局に送信することによってダイヤル発信を行う（ステップＦ２４）。
【００４３】
又、表示部６に電話番号が表示されている状態において、使用者が操作入力部７に設けられた機能キーを操作することによって自動ダイヤル番号の登録を指示した場合（ステップＦ２１）には、主制御部２はデータ格納部８を制御して表示部６に表示されている電話番号を電話帳データとして記憶する（ステップＦ２５）。尚、このとき、表示部６に最初に表示された電話番号が電話帳からの電話番号呼出指示によるものであると判断された場合には、その呼び出された電話帳からの電話番号を表示中の電話番号に書き換えて更新記憶するようにすると良い。
【００４４】
従って、上記動作制御によれば、市外局番などの番号をつけずに電話番号を入力したり、市外局番がつけられていない電話番号を呼び出したとしても、付加番号の付加指示を行うことにより、入力された又は呼び出された電話番号の先頭に付加番号を付加することができ、又市外局番をつけずにダイヤル発信を行ったとしても、リダイヤルを指示して付加番号の付加指示を行うことにより、前回にダイヤル発信された電話番号の先頭に付加番号を付加することができ、その付加番号が付加された電話番号に基づくダイヤル発信を行うことができると共に、その付加番号が付加された電話番号を自動ダイヤル発信時に用いる電話番号として登録することができる。
【００４５】
次に、上記のように構成された携帯電話機におけるダイヤル発信時及び自動ダイヤル番号登録時の動作制御の他の例について、図５に示すフローチャートに基づいて説明する。
【００４６】
使用者が操作入力部７に設けられた数字キーを操作することによって電話番号を入力した場合（ステップＦ３１）には、主制御部２が表示部６を制御してその入力された電話番号を表示部６によって表示し（ステップＦ３２）、又使用者が操作入力部７に設けられた機能キーを操作することによって電話帳からの電話番号の呼び出しを指示すると共に、操作入力部７に設けられた数字キー等を操作することによって任意の電話番号を選択した場合（ステップＦ３３）には、主制御部２がデータ格納部８を制御して電話帳データから所定の電話番号を読み出すと共に、表示部６を制御して使用者によって選択された電話番号を表示部６によって表示し（ステップＦ３４）、更に使用者が操作入力部７に設けられた機能キーを操作することによってリダイヤルを指示した場合（ステップＦ３５）には、主制御部２がデータ格納部８を制御して前回にダイヤル発信したリダイヤルデータを読み出すと共に、表示部６を制御して前回にダイヤル発信した電話番号を表示部６によって表示する（ステップＦ３６）。
【００４７】
そして、これら使用者による操作入力部７の操作によって表示部６に電話番号が表示された状態（ステップＦ３２，Ｆ３４，Ｆ３６）において、使用者が操作入力部７に設けられた機能キー及び数字キー等を操作することによって入力モードの切り換えを指示する（ステップＦ３７）と、主制御部２は現在の入力モードが後方入力モードであるのか、それとも前方入力モードであるのかを認識し（ステップＦ３８）、後方入力モードであると認識した場合には、前方入力モードに移行すると共に、その後に操作入力部７に設けられた数字キーの操作によって入力される番号を表示部６に表示された電話番号の先頭から順次付加して表示し（ステップＦ３９）、又前方入力モードであると認識した場合には、後方入力モードに移行すると共に、その後に操作入力部７に設けられた数字キーの操作によって入力される番号を表示部６に表示された電話番号の後方から順次付加して表示する（ステップＦ４０）。
【００４８】
一方、操作入力部７の操作によって表示部６に電話番号が表示された状態において、使用者が操作入力部７に設けられた機能キー及び数字キー等を操作することによって付加番号の除去を指示する（ステップＦ４１）と、主制御部２は表示部６に既に表示された付加番号を除去して使用者による操作入力部７の操作による電話番号のみを表示する（ステップＦ４２）。
【００４９】
即ち、例えば、使用者による操作入力部７の操作によって、図６（ａ）に示すように、表示部６に「△△△△−△△△△」と表示されている状態において、使用者が市外局番が入力されていないことを認識し、操作入力部７を操作して前方入力モードに切り換え、市外局番「０３」を入力すると、図６（ｂ）に示すように、まず表示部６における「△△△△−△△△△」の前に「０」が付加されて「０△△△△−△△△△」が表示され、その後に図６（ｃ）に示すように、表示部６における「△△△△−△△△△」の前に「３」が付加されて「０３△△△△−△△△△」が表示される。
【００５０】
又、使用者による操作入力部７の操作によって、図６（ａ）に示すように、表示部６に「△△△△−△△△△」が表示されている状態において、操作入力部７を操作して後方入力モードに切り換え、番号を「０３」を入力すると図６（ｄ）に示すように、まず表示部６における「△△△△−△△△△」の後ろに「０」が付加されて「△△△△−△△△△０」が表示され、その後に図６（ｅ）に示すように、表示部６における「△△△△−△△△△０」の後ろに「３」が付加されて「△△△△−△△△△０３」が表示される。
【００５１】
更に、使用者による操作入力部７の操作によって、図６（ｃ）又は図６（ｅ）に示すように、表示部６に付加番号が付加された「０３△△△△−△△△△」又は「△△△△−△△△△０３」が表示されている状態において、使用者が付加番号が誤っていることを認識し、操作入力部７を操作して付加番号の除去指示を行うと、表示部６における「０３△△△△−△△△△」又は「△△△△−△△△△０３」から新たに付加された「０３」が除去されて図６（ａ）に示すような「△△△△−△△△△」が表示される。
【００５２】
そして、表示部６に電話番号が表示されている状態において、使用者が操作入力部７に設けられた機能キーを操作することによってダイヤル発信を指示した場合（ステップＦ４４）には、主制御部２はデータ格納部８を制御して表示部６に表示されている電話番号をリダイヤルデータとして記憶する（ステップＦ４５）と共に、その表示部６に表示されている電話番号に基づいて所定の信号を生成し、通信プロトコル制御によって確立した通話チャンネルを用いて基地局に送信することによってダイヤル発信を行う（ステップＦ４６）。
【００５３】
又、表示部６に電話番号が表示されている状態において、使用者が操作入力部７に設けられた機能キーを操作することによって自動ダイヤル番号の登録を指示した場合（ステップＦ４３）には、主制御部２はデータ格納部８を制御して表示部６に表示されている電話番号を電話帳データとして記憶する（ステップＦ４７）。尚、このとき、表示部６に最初に表示された電話番号が電話帳からの電話番号呼出指示によるものであると判断された場合には、その呼び出された電話帳からの電話番号を表示中の電話番号に書き換えて更新記憶するようにすると良い。
【００５４】
従って、上記動作制御によれば、市外局番をつけずに電話番号を入力したり、市外局番がつけられていない電話番号を呼び出したとしても、付加番号の付加指示を行うことにより、入力された又は呼び出された電話番号の先頭に付加番号を付加することができ、又市外局番をつけずにダイヤル発信を行ったとしても、リダイヤルを指示して付加番号の付加指示を行うことにより、前回にダイヤル発信された電話番号の先頭に付加番号を付加することができ、その付加番号が付加された電話番号に基づくダイヤル発信を行うことができると共に、その付加番号が付加された電話番号を自動ダイヤル発信時に用いる電話番号として登録することができる。
【図面の簡単な説明】
【００５５】
【図１】本発明の一実施の形態である携帯電話機の電気的構成を示す概略機能ブロック図。
【図２】同携帯電話機における付加番号登録時の動作制御を示すフローチャート。
【図３】同携帯電話機におけるダイヤル発信時及び自動ダイヤル登録時の動作制御の一例を示すフローチャート。
【図４】同動作制御に基づく表示部の表示の移り変わりを示す説明図。
【図５】同携帯電話機におけるダイヤル発信時及び自動ダイヤル登録時の動作制御の他の例を示すフローチャート。
【図６】同動作制御に基づく表示部の表示の移り変わりを示す説明図。
【符号の説明】
【００５６】
１    無線部
２    主制御部
３    通話制御部
４    スピーカ
５    マイクロホン
６    表示部
７    操作入力部
８    データ格納部
【図１】
2007124691.tif 000003
【図２】
2007124691.tif 000004
【図３】
2007124691.tif 000005
【図４】
2007124691.tif 000006
【図５】
2007124691.tif 000007
【図６】
2007124691.tif 000008